(57)【要約】【課題】コンテンツを再生、表示するコンテンツ表示装置と、そのコンテンツ表示装置にコンテンツを提供するコンテンツ提供装置において、ソフトウェア部品が不足していたコンテンツ再生装置上でもコンテンツ再生が可能なコンテンツ提供装置、コンテンツ表示装置及びコンテンツ再生システムを提出する。【解決手段】コンテンツ提供装置１０１から得たコンテンツ１０７を表示する際に、コンテンツ表示装置１０２は不足するプラグインの情報をバーコード化し、表示画面１１９に表示する。ユーザは視聴したいコンテンツと対応するバーコードをコンテンツ提供装置１０１に指示し、コンテンツ提供装置１０１は得られたプラグインの情報を元に提供すべきプラグインをプラグインデータベース１２８から探し出し、メディア１０６に格納してコンテンツ表示装置１０２に送付する。【選択図】図１
2009296442.tif 000002
【特許請求の範囲】
【請求項１】
コンテンツ表示装置が所定のコンテンツを表示するために不足しているプラグインの種類を示す情報を撮影する撮影手段と、
前記撮影手段で撮影された結果から前記コンテンツ表示装置で不足しているプラグインの種類を示す情報を検出するプラグイン情報検出手段と、
プラグインを記憶する第１プラグイン記憶手段と、
前記プラグイン情報検出手段で検出された前記情報を元に前記第１プラグイン記憶手段から該当するプラグインを検索するプラグイン検索手段と、
前記プラグイン検索手段で検索した結果、前記情報に該当するプラグインを出力するプラグイン出力手段と、
を備えたコンテンツ提供装置。
【請求項２】
前記プラグイン出力手段は、着脱可能なメディアに前記プラグイン検索手段で検索されたプラグインをコピーする請求項１に記載のコンテンツ提供装置。
【請求項３】
前記プラグイン出力手段は、前記情報に該当するプラグインを前記コンテンツ表示装置に転送する請求項１又は請求項２に記載のコンテンツ提供装置。
【請求項４】
対象となるコンテンツの形式を取得するコンテンツ形式取得手段と、
プラグインを記憶する第２プラグイン記憶手段と、
前記第２プラグイン記憶手段から前記コンテンツ形式取得手段で取得された形式のコンテンツを再生するために必要なプラグインを検索する再生プラグイン群検索手段と、
再生のために必要なプラグインのすべてが利用可能なコンテンツに対しては、それらのプラグインを連結する再生プラグイン連結手段と、
再生のために必要なプラグインの一部、または全部が不可能なコンテンツに対しては、不足している必要なプラグインの種類を示す情報を生成するプラグイン情報生成手段と、
再生可能なコンテンツを表示するとともにプラグインの種類を示す情報を表示する表示手段と、
を備えたコンテンツ表示装置。
【請求項５】
前記プラグイン情報生成手段は、プラグインの種類を示す情報を、符号化された画像で表現する請求項４に記載のコンテンツ表示装置。
【請求項６】
前記プラグイン情報生成手段が表現する符号化された画像がバーコードである請求項５に記載のコンテンツ表示装置。
【請求項７】
前記表示手段は、再生のために必要なプラグインが揃っていないコンテンツに対して、１つ又は複数の既定の画像を表示する請求項４に記載のコンテンツ表示装置。
【請求項８】
前記表示手段は、再生のために必要なプラグインが揃っていないコンテンツに対して、該コンテンツが持つ情報を表示する請求項４に記載のコンテンツ表示装置。
【請求項９】
再生のために必要なプラグインが揃っていないコンテンツに対して、前記表示手段が表示する情報が前記コンテンツのサムネイルである請求項４に記載のコンテンツ表示装置。
【請求項１０】
再生のために必要なプラグインが揃っていないコンテンツに対して、前記表示手段が表示する情報が前記コンテンツのファイル名である請求項４に記載のコンテンツ表示装置。
【請求項１１】
再生のために必要なプラグインが揃っていないコンテンツに対して、前記表示手段が表示する情報が前記コンテンツのメタデータである請求項４に記載のコンテンツ表示装置。
【請求項１２】
前記表示手段は、コンテンツの再生のためにプラグインが不足している場合、プラグインが不足しているコンテンツに対応して、既定の画像を表示する近傍に前記コンテンツの再生のために不足しているプラグインの情報を表示する請求項４乃至請求項１１のいずれかに記載のコンテンツ表示装置。
【請求項１３】
前記表示手段は、コンテンツの再生のためにプラグインが不足している場合、前記コンテンツが持つ情報の近傍に該コンテンツの再生のために不足しているプラグインの情報を表示する請求項４乃至請求項１１のいずれかに記載のコンテンツ表示装置。
【請求項１４】
前記表示手段は、複数のコンテンツの再生のために同じプラグインが不足している場合、同じプラグインに対しては同一の色で、異なるプラグインに対しては異なる色で、コンテンツの再生のために不足しているプラグインの情報を表示する請求項４乃至請求項１１のいずれかに記載のコンテンツ表示装置。
【請求項１５】
前記表示手段は、複数のコンテンツの再生のために同じプラグインが不足している場合、同じプラグインに対しては近傍に同一の記号を、異なるプラグインに対しては異なる記号を、コンテンツの再生のために不足しているプラグインの情報の表示の近傍に表示する請求項４乃至請求項１１のいずれかに記載のコンテンツ表示装置。
【請求項１６】
前記表示手段は、複数のコンテンツの再生のために同じプラグインが不足している場合、同じプラグインに対しては近傍に同一の文字列を、異なるプラグインに対しては異なる文字列をコンテンツの再生のために不足しているプラグインの情報の表示の近傍に表示する請求項４乃至請求項１１のいずれかに記載のコンテンツ表示装置。
【請求項１７】
請求項１に記載のコンテンツ提供装置と、
請求項４乃至請求項１６のいずれかに記載のコンテンツ表示装置と、
を備えたコンテンツ再生システム。
【請求項１８】
コンテンツ表示装置が所定のコンテンツを表示するために不足しているプラグインの種類を示す情報を撮影する撮影手段と、
前記撮影手段で撮影された結果から前記コンテンツ表示装置で不足しているプラグインの種類を示す情報を検出するプラグイン情報検出手段と、
プラグインを記憶する第１プラグイン記憶手段と、
前記プラグイン情報検出手段で検出された前記情報を元に前記第１プラグイン記憶手段から該当するプラグインを検索するプラグイン検索手段と、
前記プラグイン検索手段で検索した結果、前記情報に該当するプラグインをコピー回数管理とともに暗号化し出力するプラグイン出力手段と、
を備えたコンテンツ提供装置。
【請求項１９】
前記プラグイン出力手段は、着脱可能なメディアに前記プラグイン検索手段で検索されたプラグインをコピーする請求項１８に記載のコンテンツ提供装置。
【請求項２０】
前記プラグイン出力手段は、前記情報に該当するプラグインを前記コンテンツ表示装置に転送する請求項１８又は請求項１９に記載のコンテンツ提供装置。
【請求項２１】
対象となるコンテンツの形式を取得するコンテンツ形式取得手段と、
プラグインを記憶する第２プラグイン記憶手段と、
前記第２プラグイン記憶手段から前記コンテンツ形式取得手段で取得された形式のコンテンツを再生するために必要なプラグインを検索する再生プラグイン群検索手段と、
前記メディアに格納されているプラグインをコピー回数管理するとともに復号化し、前記メディア内から前記第２プラグイン記憶手段にコピーするプラグインチェックイン手段と、
再生のために必要なプラグインのすべてが利用可能なコンテンツに対しては、それらのプラグインを連結する再生プラグイン連結手段と、
再生のために必要なプラグインの一部、または全部が不可能なコンテンツに対しては、不足している必要なプラグインの種類を示す情報を生成するプラグイン情報生成手段と、
再生可能なコンテンツを表示するとともにプラグインの種類を示す情報を表示する表示手段と、
を備えたコンテンツ表示装置。
【請求項２２】
プラグインのコピー回数管理時にコピーが禁止されている場合、所定のサーバに対し課金による使用許諾を申請し、受理された場合にはコピーを可能とする情報を前記サーバより受け取り、プラグインのコピーを行う請求項２１に記載のコンテンツ表示装置。
【請求項２３】
プラグインのコピー回数管理時にコピーが禁止されている場合、課金用のサーバに対し課金による使用許諾を申請し、受理された場合にはダウンロード用サーバよりプラグインをダウンロードして利用する請求項２１に記載のコンテンツ表示装置。
【請求項２４】
請求項１８に記載のコンテンツ提供装置と、
請求項２１乃至請求項２３のいずれかに記載のコンテンツ表示装置と、
を備えたコンテンツ再生システム。
【発明の詳細な説明】
【技術分野】
【０００１】
本発明は、他の機器にコンテンツを提供するコンテンツ提供装置、コンテンツ提供装置からのコンテンツの提供を受けてそれを表示するコンテンツ表示装置及びコンテンツ提供装置とコンテンツ表示装置とを備えたコンテンツ再生システムに関する。
【背景技術】
【０００２】
特許文献１には、映像配信装置が、放送を受信して映像を復号（デコード）する際に２値情報を重畳した後、画面に映し出し、映し出した映像の中の２値情報を利用者がスキャナで読み取ることで、該情報を除去するための差分情報及びスクランブル解除のための暗号情報を入手し、入手した情報に基づいて前記情報の除去及びスクランブルの解除を行うスクランブル映像配信システムが開示されている。
【０００３】
また、特許文献２には、コンテンツに、暗号化した再生用のソフトウェア（プラグイン）を添付して利用者に送付し、利用者は予め入手しておいた暗号鍵によってコンテンツ添付のプラグインを復号化するようにして、秘匿性を確保しつつプラグインの入手を容易にしたコンテンツ作成・再生方法及び装置が開示されている。
【０００４】
【特許文献１】特開２００６−２８７５０２号公報
【特許文献２】特開２００１−３３１３０７号公報
【発明の開示】
【発明が解決しようとする課題】
【０００５】
しかしながら、上述した従来の構成では、映像配信装置によって映像に２値信号が重畳されるのみであり、コンテンツ再生装置側のソフトウェア構成の表現、伝達方式については考慮されてない。また、コンテンツ再生装置間の連携方式については考慮されてない。また、映像内に２値信号を重畳するのみであるので、複数のコンテンツがコンテンツ再生装置上に表示された際のコンテンツ再生装置側での表示、指定方式は開示されていない。このようなことから、コンテンツ再生装置内のソフトウェア構成を他装置に伝えられず、またコンテンツ再生装置と他のコンテンツ処理機器との連携方式が未確立であり、さらに、コンテンツ再生装置上の複数コンテンツからの対応コンテンツの指定ができないという問題がある。
【０００６】
本発明は、かかる事情に鑑みてなされたものであり、コンテンツを再生、表示するコンテンツ表示装置と、そのコンテンツ表示装置にコンテンツを提供するコンテンツ提供装置において、ソフトウェア部品が不足していたコンテンツ再生装置上でもコンテンツ再生が可能なコンテンツ提供装置、コンテンツ表示装置及びコンテンツ再生システムを提供することを目的とする。
【課題を解決するための手段】
【０００７】
本発明のコンテンツ提供装置は、コンテンツ表示装置が所定のコンテンツを表示するために不足しているプラグインの種類を示す情報を撮影する撮影手段と、前記撮影手段で撮影された結果から前記コンテンツ表示装置で不足しているプラグインの種類を示す情報を検出するプラグイン情報検出手段と、プラグインを記憶する第１プラグイン記憶手段と、前記プラグイン情報検出手段で検出された前記情報を元に前記第１プラグイン記憶手段から該当するプラグインを検索するプラグイン検索手段と、前記プラグイン検索手段で検索した結果、前記情報に該当するプラグインを出力するプラグイン出力手段と、を備えた。
【０００８】
上記構成によれば、コンテンツ表示装置が表示画面上に表示する、コンテンツ再生のために不足するプラグインの種類を示す情報を撮影することで取得し、取得したプラグインの種類を示す情報を元に第１プラグイン記憶手段から該当するプラグインを検索し、検索したプラグインをメディアにコピーしてコンテンツ表示装置に送るので、コンテンツ提供装置からコンテンツ表示装置へのプラグイン転送を容易に行うことができる。
【０００９】
また、上記構成において、プラグイン出力手段は、着脱可能なメディアに前記プラグイン検索手段で検索されたプラグインをコピーする。
【００１０】
上記構成によれば、着脱可能なメディアに前記プラグイン検索手段で検索されたプラグインをコピーするので、コンテンツ提供装置からコンテンツ表示装置へのプラグイン転送を容易に行うことができる。
【００１１】
また、上記構成において、前記プラグイン出力手段は、前記情報に該当するプラグインを前記コンテンツ表示装置に転送する。
【００１２】
上記構成によれば、情報に該当するプラグインをコンテンツ表示装置に転送するので、コンテンツ提供装置からコンテンツ表示装置へのプラグイン転送を容易に行うことができる。
【００１３】
本発明のコンテンツ表示装置は、対象となるコンテンツの形式を取得するコンテンツ形式取得手段と、プラグインを記憶する第２プラグイン記憶手段と、前記第２プラグイン記憶手段から前記コンテンツ形式取得手段で取得された形式のコンテンツを再生するために必要なプラグインを検索する再生プラグイン群検索手段と、再生のために必要なプラグインのすべてが利用可能なコンテンツに対しては、それらのプラグインを連結する再生プラグイン連結手段と、再生のために必要なプラグインの一部、または全部が不可能なコンテンツに対しては、不足している必要なプラグインの種類を示す情報を生成するプラグイン情報生成手段と、再生可能なコンテンツを表示するとともにプラグインの種類を示す情報を表示する表示手段と、を備えた。
【００１４】
上記構成によれば、プラグイン不足によって表示できないコンテンツのうち、どのコンテンツを表示したいかをコンテンツ提供装置に容易に伝えることができるので、コンテンツ提供装置からコンテンツ表示装置へのプラグイン転送を容易に行うことができる。
【００１５】
また、上記構成において、前記プラグイン情報生成手段は、プラグインの種類を示す情報を、符号化された画像で表現する。
【００１６】
上記構成によれば、プラグインの種類を表現する情報を、符号化された画像で表現するので、ユーザは、当該プラグインを容易に把握することができる。
【００１７】
また、上記構成において、前記プラグイン情報生成手段が表現する符号化された画像がバーコードである。
【００１８】
上記構成によれば、プラグインの種類をバーコードで表現するので、ユーザは、当該プラグインを容易に把握することができる。
【００１９】
また、上記構成において、前記表示手段は、再生のために必要なプラグインが揃っていないコンテンツに対して、１つ又は複数の既定の画像を表示する。
【００２０】
上記構成によれば、再生のために必要なプラグインが揃っていないコンテンツに対して、１つ又は複数の既定の画像を表示するので、ユーザは、必要なプラグインが揃っていないコンテンツを容易に判別することができる。
【００２１】
また、上記構成において、前記表示手段は、再生のために必要なプラグインが揃っていないコンテンツに対して、該コンテンツが持つ情報を表示する。
【００２２】
上記構成によれば、再生のために必要なプラグインが揃っていないコンテンツに対して、該コンテンツが持つ情報を表示するので、ユーザは、必要なプラグインが揃ってないコンテンツを容易に判別することができる。
【００２３】
また、上記構成において、再生のために必要なプラグインが揃っていないコンテンツに対して、前記表示手段が表示する情報が該コンテンツのサムネイルである。
【００２４】
上記構成によれば、再生のために必要なプラグインが揃っていないコンテンツに対して、表示手段が表示する、該コンテンツが持つ情報がコンテンツのサムネイルであるので、ユーザは、必要なプラグインが揃ってないコンテンツを容易に判別することができる。
【００２５】
また、上記構成において、再生のために必要なプラグインが揃っていないコンテンツに対して、前記表示手段が表示する情報が前記コンテンツのファイル名である。
【００２６】
上記構成によれば、再生のために必要なプラグインが揃っていないコンテンツに対して、表示手段が表示する、該コンテンツが持つ情報がコンテンツのファイル名であるので、ユーザは、必要なプラグインが揃ってないコンテンツを容易に判別することができる。
【００２７】
また、上記構成において、前記表示手段は、再生のために必要なプラグインが揃っていないコンテンツに対して、前記表示手段が表示する情報が前記コンテンツのメタデータである。
【００２８】
上記構成によれば、再生のために必要なプラグインが揃っていないコンテンツに対して、表示手段が表示する、該コンテンツが持つ情報がコンテンツのメタデータであるので、ユーザは、必要なプラグインが揃ってないコンテンツを容易に判別することができる。
【００２９】
また、上記構成において、前記表示手段は、コンテンツの再生のためにプラグインが不足している場合、プラグインが不足しているコンテンツに対応して、既定の画像を表示する近傍に前記コンテンツの再生のために不足しているプラグインの情報を表示する。
【００３０】
上記構成によれば、プラグインが不足しているコンテンツに対応して、既定の画像を表示する近傍に前記コンテンツの再生のために不足しているプラグインの情報を表示するので、ユーザは、必要なプラグインが揃ってないコンテンツを容易に判別することができる。
【００３１】
また、上記構成において、前記表示手段は、コンテンツの再生のためにプラグインが不足している場合、前記コンテンツが持つ情報の近傍に該コンテンツの再生のために不足しているプラグインの情報を表示する。
【００３２】
上記構成によれば、プラグインが不足しているコンテンツが持つ情報の近傍に該コンテンツの再生のために不足しているプラグインの情報を表示するので、ユーザは、必要なプラグインが揃ってないコンテンツを容易に判別することができる。
【００３３】
また、上記構成において、前記表示手段は、複数のコンテンツの再生のために同じプラグインが不足している場合、同じプラグインに対しては同一の色で、異なるプラグインに対しては異なる色で、コンテンツの再生のために不足しているプラグインの情報を表示する。
【００３４】
上記構成によれば、同じプラグインに対しては同一の色で、異なるプラグインに対しては異なる色で、コンテンツの再生のために不足しているプラグインの情報を表示するので、ユーザは、必要なプラグインが揃ってないコンテンツを容易に判別することができる。
【００３５】
また、上記構成において、前記表示手段は、複数のコンテンツの再生のために同じプラグインが不足している場合、同じプラグインに対しては近傍に同一の記号を、異なるプラグインに対しては異なる記号を、コンテンツの再生のために不足しているプラグインの情報の表示の近傍に表示する。
【００３６】
上記構成によれば、同じプラグインに対しては近傍に同一の記号を、異なるプラグインに対しては異なる記号を、コンテンツの再生のために不足しているプラグインの情報の表示の近傍に表示するので、ユーザは、必要なプラグインが揃ってないコンテンツを容易に判別することができる。
【００３７】
また、上記構成において、前記表示手段は、複数のコンテンツの再生のために同じプラグインが不足している場合、同じプラグインに対しては近傍に同一の文字列を、異なるプラグインに対しては異なる文字列をコンテンツの再生のために不足しているプラグインの情報の表示の近傍に表示する。
【００３８】
上記構成によれば、同じプラグインに対しては近傍に同一の文字列を、異なるプラグインに対しては異なる文字列をコンテンツの再生のために不足しているプラグインの情報の表示の近傍に表示するので、ユーザは、必要なプラグインが揃ってないコンテンツを容易に判別することができる。
【００３９】
本発明のコンテンツ再生システムは、上記コンテンツ提供装置と、上記コンテンツ表示装置のいずれかと、を備えた。
【００４０】
上記構成によれば、コンテンツ表示装置側は、プラグイン不足によって表示できないコンテンツのうち、どのコンテンツを表示したいかをコンテンツ提供装置に容易に伝えることができるので、コンテンツ提供装置からコンテンツ表示装置へのプラグイン転送の操作が容易になり、コンテンツ提供装置からコンテンツ表示装置へのプラグイン転送を容易に行うことができる。
【００４１】
本発明のコンテンツ提供装置は、コンテンツ表示装置が所定のコンテンツを表示するために不足しているプラグインの種類を示す情報を撮影する撮影手段と、前記撮影手段で撮影された結果から前記コンテンツ表示装置で不足しているプラグインの種類を示す情報を検出するプラグイン情報検出手段と、プラグインを記憶する第１プラグイン記憶手段と、前記プラグイン情報検出手段で検出された前記情報を元に前記第１プラグイン記憶手段から該当するプラグインを検索するプラグイン検索手段と、前記プラグイン検索手段で検索した結果、前記情報に該当するプラグインをコピー回数管理とともに暗号化し出力するプラグイン出力手段と、を備えた。
【００４２】
上記構成によれば、ユーザは、プラグインのコピー回数管理がされている場合にも保有するコピー回数の範囲内で不足プラグインをメディアにコピーすることができ、コンテンツ表示装置においては、当該回数でコンテンツの再生、表示を行うことができる。
【００４３】
また、上記構成において、前記プラグイン出力手段は、着脱可能なメディアに前記プラグイン検索手段で検索されたプラグインをコピーする。
【００４４】
上記構成によれば、着脱可能なメディアにプラグイン検索手段で検索されたプラグインをコピーするので、コンテンツ提供装置からコンテンツ表示装置へのプラグイン転送を容易に行うことができる。
【００４５】
また、上記構成において、前記プラグイン出力手段は、前記情報に該当するプラグインを前記コンテンツ表示装置に転送する。
【００４６】
上記構成によれば、情報に該当するプラグインをコンテンツ表示装置に転送するので、コンテンツ提供装置からコンテンツ表示装置へのプラグイン転送を容易に行うことができる。
【００４７】
本発明のコンテンツ表示装置は、対象となるコンテンツの形式を取得するコンテンツ形式取得手段と、プラグインを記憶する第２プラグイン記憶手段と、前記第２プラグイン記憶手段から前記コンテンツ形式取得手段で取得された形式のコンテンツを再生するために必要なプラグインを検索する再生プラグイン群検索手段と、前記メディアに格納されているプラグインをコピー回数管理するとともに復号化し、前記メディア内から前記第２プラグイン記憶手段にコピーするプラグインチェックイン手段と、再生のために必要なプラグインのすべてが利用可能なコンテンツに対しては、それらのプラグインを連結する再生プラグイン連結手段と、再生のために必要なプラグインの一部、または全部が不可能なコンテンツに対しては、不足している必要なプラグインの種類を示す情報を生成するプラグイン情報生成手段と、再生可能なコンテンツを表示するとともにプラグインの種類を示す情報を表示する表示手段と、を備えた。
【００４８】
上記構成によれば、ユーザはプラグインのコピー回数管理がされている場合にも保有するコピー回数の範囲内でコンテンツ表示装置においてコンテンツの再生、表示を行うことができる。
【００４９】
また、上記構成において、プラグインのコピー回数管理時にコピーが禁止されている場合、所定のサーバに対し課金による使用許諾を申請し、受理された場合にはコピーを可能とする情報を前記サーバより受け取り、プラグインのコピーを行う。
【００５０】
上記構成によれば、ユーザは、プラグインの著作権管理がされている場合にも、保有する利用権の範囲内で他のコンテンツ再生装置でのコンテンツの再生、表示が行える。
【００５１】
また、上記構成において、プラグインのコピー回数管理時にコピーが禁止されている場合、課金用のサーバに対し課金による使用許諾を申請し、受理された場合にはダウンロード用サーバよりプラグインをダウンロードして利用する。
【００５２】
上記構成によれば、ユーザは、プラグインの著作権管理がされている場合にも、保有する利用権の範囲内で他のコンテンツ再生装置でのコンテンツの再生、表示が行える。
【００５３】
本発明のコンテンツ再生システムは、上記コンテンツ提供装置と、上記コンテンツ表示装置のいずれかと、を備えた。
【００５４】
上記構成によれば、コンテンツ表示装置側は、プラグイン不足によって表示できないコンテンツのうち、どのコンテンツを表示したいかをコンテンツ提供装置に容易に伝えることができるので、コンテンツ提供装置からコンテンツ表示装置へのプラグイン転送の操作が容易になり、コンテンツ提供装置からコンテンツ表示装置へのプラグイン転送を容易に行うことができる。また、ユーザは、プラグインの著作権管理がされている場合にも、保有する利用権の範囲内で他のコンテンツ再生装置でのコンテンツの再生、表示が行える。
【発明の効果】
【００５５】
本発明によれば、ユーザが視聴したいコンテンツに対応した再生用ソフトウェア部品をコンテンツ表示装置とコンテンツ提供装置との間で送受信することにより、ソフトウェア部品が不足していたコンテンツ表示装置上でもコンテンツ再生が可能となる。
【発明を実施するための最良の形態】
【００５６】
以下、本発明を実施するための好適な実施の形態について、図面を参照して詳細に説明する。
【００５７】
（実施の形態１）
図１は、本発明の実施の形態１に係るコンテンツ再生システム１００の概略構成を示すブロック図である。図１において、本実施の形態のコンテンツ再生システム１００は、再生のためのコンテンツ及び該コンテンツの再生に必要なプラグイン（即ち、脱着可能なソフトウェア部品）をコンテンツ表示装置１０２に提供するコンテンツ提供装置１０１と、コンテンツ表示装置１０２と、コンテンツとプラグインを運搬するためのメディア運搬装置１０３とを備えて構成される。
【００５８】
コンテンツ表示装置１０２は、コンテンツ提供装置１０１からコンテンツ及び必要な際にコンテンツ表示のためのプラグインの提供を受けてコンテンツを表示し、かつコンテンツ表示のためのプラグインが自装置の中にない場合は、不足するプラグインの情報をコンテンツ提供装置１０１に伝達してプラグインの提供を要求し、それを取得することによりコンテンツの再生を可能とするものである。
【００５９】
メディア運搬装置１０３は、コンテンツ提供装置１０１内にあるコンテンツ１０７とプラグイン１０８が格納された着脱可能なメディア１０６を運搬するものである。コンテンツ提供装置１０１において、コンテンツ取得部１０４は、コンテンツ提供装置１０１の内部あるいは外部から表示コンテンツを取得するものである。メディア送出部１０５は、コンテンツ、プラグインなどを格納したメディア１０６の転送及びコンテンツ、プラグインの格納、削除を制御するものである。メディア１０６は、コンテンツ提供装置１０１からコンテンツ表示装置１０２へ転送するコンテンツとプラグインを格納するものである。コンテンツ１０７は、コンテンツ提供装置１０１からコンテンツ表示装置１０２へ転送されるものである。プラグイン１０８は、コンテンツ提供装置１０１からコンテンツ表示装置１０２へ転送されるものである。
【００６０】
コンテンツ表示装置１０２において、メディア受入れ部１３０は、メディア運搬装置１０３によって運搬されてきたメディアを受け入れるものである。再生制御部１０９は、メディア１０６に格納されているコンテンツ１０７の再生を制御するものである。コンテンツ形式取得部（コンテンツ形式取得手段）１１０は、再生制御部１０９の中で、メディア１０６の中のコンテンツの形式（フォーマット、コーデック）を取得するものである。再生プラグイン群検索部（再生プラグイン群検索手段）１１１は、プラグインデータベース（第２プラグイン記憶手段）１３１の中から、コンテンツ形式取得部１１０によって得られた形式のコンテンツを再生するために必要なプラグインを検索し取得するものである。再生プラグイン連結部（再生プラグイン連結手段）１１２は、再生プラグイン群１１３の中から再生プラグイン群検索部１１１によって選択されたプラグインを連結するものである。プラグイン１１３ａから１１３ｉは、コンテンツ１０７を再生するためのものである。
【００６１】
プラグイン連結部１１２は、メモリなどのシステム固有の制約を越えない限り、任意の個数のプラグインを連結することができる。標準的な例としては、ストリームの読み出し、ストリームの分離、復号化と、表示あるいは音声出力のプラグインを連結し、映像コンテンツを再生することが行われる。代表的な映像フォーマットであるＭＰ４（Moving Picture Experts Group phase 4）の標準的な例では、第１のプラグインでコンテンツからストリームを読み出し、第２のプラグインでストリームをＤｅｍｕｘ処理、つまりＭＰ４ストリームをＭＰＥＧ４映像ストリームとＡＡＣ（Advanced Audio Coding）音声ストリームに分離し、第３、第４のプラグインでＭＰＥＧ４映像ストリームとＡＡＣ音声ストリームを復号化し、それぞれを表示、音声出力のためのプラグインに送る。
【００６２】
プラグインデータベース１３１は、コンテンツ表示装置１０２中のプラグインを格納し検索、管理するものである。メディア１０６に格納されているプラグインが、プラグインデータベース１３１に格納されていない場合、プラグインデータベース１３１に追加、格納される。不足プラグイン情報符号化部（プラグイン情報生成手段）１１４は、再生プラグイン群検索部１１１によって検出された不足するプラグインの情報を２次元バーコード化する。複数コンテンツ配置部１１５は、複数のコンテンツを画面上に配置する。不足プラグイン情報配置部１１６は、不足プラグイン情報符号化部１１４から得られた２次元バーコードの情報をコンテンツの１つとして画面上に配置する。
【００６３】
表示部１１７は、複数コンテンツ配置部１１５によって配置された複数のコンテンツを表示画面１１９上に表示する。不足プラグイン情報表示部１１８は、不足プラグイン情報配置部１１６によって配置された不足プラグイン情報を表示する。表示画面１１９は、表示部１１７から受けた情報を表示する。表示画面１１９において、１２０ａ、１２０ｂ、１２０ｃ、１２０ｄはコンテンツの内容の表示である。また、１２１ａ、１２１ｂはコンテンツ表示のために不足しているプラグインを示す不足プラグイン表示である。また、１２２は不足しているコンテンツのタイトルである。なお、表示部１１７、不足プラグイン情報表示部１１８及び表示画面１１９は、表示手段を構成する。
【００６４】
コンテンツ提供装置１０１において、カメラ（撮影手段）１２３は、コンテンツ表示装置１０２の表示画面１１９上の不足プラグイン表示１２１ａ、１２１ｂの画像を撮像して電気信号に変換する。認識位置指示部１２４は、カメラ１２３が画像を取り込む箇所を指示する。画像認識部１２５は、カメラ１２３からの電気信号を解析し、２次元バーコードに含まれる情報を抽出する。不足プラグイン情報検出部（プラグイン情報検出手段）１２６は、画像認識部１２５によって得られた２次元バーコードに含まれる情報から、不足するプラグインを検出する。プラグイン検索部（プラグイン検索手段）１２７は、不足プラグイン情報検出部１２６によって得られた不足するプラグインの情報を元にプラグインデータベース（第１プラグイン記憶手段）１２８からプラグインを検出する。プラグインデータベース１２８は、コンテンツ提供装置１０１の中にあるプラグインの情報を格納する。プラグインコピー部１２９は、検出されたプラグインをプラグインデータベース１２８からメディア１０６内にコピーする。
【００６５】
次に、本実施の形態のコンテンツ再生システムの動作を説明する。図２は、本実施の形態のコンテンツ再生システムの動作を説明するためのフローチャートである。同図において、まず、コンテンツ提供装置１０１内でコンテンツ取得部１０４が、コンテンツ提供装置１０１の内部あるいは外部から、再生するコンテンツ１０７を取得し、メディア１０６内に格納する（ステップＳＴ２０１）。
【００６６】
次いで、メディア転送制御部１０５が、メディア１０６を、メディア運搬装置１０３を用いてコンテンツ表示装置１０２に運ぶ（ステップＳＴ２０２）。この時、メディア運搬装置１０３は、自動的にメディアをコンテンツ提供装置１０１から抜き出し、コンテンツ表示装置１０２に挿入するロボットなどによりメディアを運搬する手段でもよいし、ユーザによってコンテンツ提供装置１０１からコンテンツ表示装置１０２へ運搬することとしてもよい。メディア運搬装置１０３によってコンテンツ表示装置１０２にメディア１０６が運ばれると、コンテンツ表示装置１０２はメディア１０６内のプラグインをプラグインデータベースにコピーする（ステップＳＴ２０３）。
【００６７】
次に、再生制御部１０９が、メディア１０６内のコンテンツ１０７の再生を試みる。まず、コンテンツ形式取得部１１０が、メディア１０６内のコンテンツ１０７の形式を取得する（ステップＳＴ２０４）。次いで、得られた形式を元に再生プラグイン群検索部１１１がプラグインデータベース１１４内を検索し（ステップＳＴ２０５）、再生に必要なプラグインがそろっているか否かを調べる（ステップＳＴ２０６）。一般に再生に必要なプラグインは１つではないため、再生プラグイン群検索部１１１は、コンテンツから出力デバイスに至るプラグインの集合を検出しなければならない。
【００６８】
次に、出力のためのプラグインが全て揃っている場合は、プラグイン群を連結し（ステップＳＴ２０７）、コンテンツの再生を開始する。コンテンツ再生の結果は、複数コンテンツ配置部１１５に渡され、他のコンテンツと同時に再生されている場合はその配置を任意の方法により決定し（ステップＳＴ２０８）、その結果を表示部１１７に渡す。表示部１１７は表示画面１１９にコンテンツを表示する（ステップＳＴ２０９）。
【００６９】
もし、ステップＳＴ２０６の判定において、再生のためのプラグインが揃っていない場合は、再生プラグイン群検索部１１１が不足するプラグインの情報を検出し、不足プラグイン情報符号化部１１４がその情報を２次元バーコード化する（ステップＳＴ２１０）。次いで、不足プラグイン情報配置部１１６が、２次元バーコードの情報の画面上での配置を決定し（ステップＳＴ２１１）、不足プラグイン情報表示部１１８がその情報を表示画面１１９上に、１２１ａ、１２１ｂのように表示する（ステップＳＴ２１２）。
【００７０】
次に、コンテンツ表示装置１０２のユーザは、コンテンツ提供装置１０１の認識位置指示部１２４を用いてカメラ１２３に対し、表示装置１１９上の撮影すべき２次元バーコード１２１ａ、あるいは１２１ｂの位置を指示する（ステップＳＴ２１３）。画像認識部１２５が、２次元バーコード１２１ａ、あるいは１２１ｂを認識し、文字列に変換する（ステップＳＴ２１４）。次いで、不足プラグイン情報検出部１２６が、検出された文字列の中からコンテンツ表示装置１０２内で不足しているプラグインを示す情報を抽出する（ステップＳＴ２１５）。
【００７１】
次に、プラグイン検索部１２７が、プラグインデータベース１２８の中から前記の不足しているプラグインを検索する（ステップＳＴ２１６）。検出されたプラグインはプラグインコピー部１２９によって、メディア１０６の中に格納される（ステップＳＴ２１７）。この後、図２の先頭のスタートに戻り、同様の操作を繰り返す（ステップＳＴ２１８）。このときに使用するメディア１０６は、図２のステップＳＴ２０２においてコンテンツ表示装置１０２に運搬されたものをコンテンツ提供装置１０１に戻して再度利用してもよいし、新たなメディアを利用してプラグインを運搬してもよい。
【００７２】
ステップＳＴ２１８おいて、メディア１０６内には前回のメディア１０６の運搬の際に不足していたプラグインが格納されている。そのため、再度メディアがコンテンツ表示装置１０２に運搬された際には、前記プラグインがプラグインデータベース１３１に追加され、再生プラグイン群検索部１１１によって検出され、再生プラグイン連結部１１２によって他のプラグインと連結され、前回は表示が不可能であったコンテンツを表示することができる。
【００７３】
上記ステップＳＴ２１１、ステップＳＴ２１２における画面表示の方式について述べる。単純な方式を図３に示した。本方式では、表示画面１１９を固定的な４つの区画である区画Ａ〜Ｄに分割し、表示要求のあったコンテンツを先着順に区画Ａから区画Ｄまでの４つの区画に表示する。その中で、プラグインが不足しているコンテンツについて述べる。区画Ｃに示したように、表示できる画像情報がない場合は単純なモザイク模様１２０ｄと不足するプラグインを示す２次元バーコード１２１ａを表示する。
【００７４】
また、コンテンツのファイル名やメタデータなどのユーザに理解できるテキスト情報を得られる場合はそれも、１２２として表示する。また、サムネイルが得られるようなコンテンツである場合は、区画Ｂのようにサムネイル表示１２０ａと２次元バーコード１２１ａを表示する。コンテンツの数が４を超える場合は５番目以降の表示は拒否する、画面をスクロール可能とし、任意個数の区画を扱えるようにする、区画の分割をさらに細かくし、９分割、１６分割などにするなどの方式が考えられる。また、各コンテンツのサイズが異なる場合は、そのサイズに応じて可変サイズの区画を割り当てるなどの方式も考えられる。
【００７５】
図４は、図２の動作シーケンス概要を示したシーケンス図である。図４において、コンテンツ提供装置１０１からコンテンツ表示装置１０２にコンテンツ送付が行われ、コンテンツ表示装置１０２でそれを再生、表示し、不足するプラグインがあれば、それを表現画面上に表示する。表現画面上に表示された不足するプラグインをコンテンツ提供装置１０１で読み取り、不足するプラグインをコンテンツ表示装置１０２に送付する。コンテンツ表示装置１０２は、コンテンツ提供装置１０１からプラグインが送られてくると、それを再生し、表示する。
【００７６】
図５は、再生プラグイン連結部１１２、再生プラグイン１１３ａ〜１１３ｉ、コンテンツ１０７、複数コンテンツ配置部１１５の関係を示す構成図である。コンテンツ１０７が動画の場合の再生には、Ｓｏｕｒｃｅ（コンテンツ読み込み）、Ｄｅｍｕｘ（映像と音声の分離）、Ｄｅｃｏｄｅ（復号化）、Ｓｉｎｋ（映像、音声の出力）のプラグインを利用することが一般的である。この場合、コンテンツ１０７がＭＰ４ファイルの場合、ＤｅｍｕｘプラグインはストリームをＭＰ４（映像）、ＡＡＣ（音声）のストリームに分離し、映像に関するＤｅｃｏｄｅプラグインはＭＰＥＧ４ストリームを出力可能な形式に復号する。具体的には表示装置のフレームバッファに直接書き込むためのデータに変更することが考えられる。さらに高度な出力を要求される場合には、ＤｉｒｅｃｔＦＢのようなモジュールへの入力に変換することが考えられる。また、音声に関するＤｅｃｏｄｅプラグインは、ＡＡＣストリームをＰＣＭ（Pulse Code Modulation）形式に変更し、音声出力する。
【００７７】
図５の例において、もし、コンテンツ表示装置１０２内に、ＭＰＥＧ４ストリームをフレームバッファ入力に復号化するプラグインが存在しないとする。その際、再生プラグイン群検索部１１１は、コンテンツがＭＰ４ファイルであることをコンテンツ形式取得部１１０から受けた後、ＭＰ４再生のためには、ＭＰ４のＤｅｍｕｘプラグインが必要であることを検出し、さらに再生のためにはＭＰＥＧ４ ＤｅｃｏｄｅプラグインとＡＡＣ Ｄｅｃｏｄｅプラグインを必要とすることを検出する。これらの、コンテンツ、ストリームの形式と、対応するプラグインの情報についてはプラグインデータベース１３１、および各プラグインに格納され、再生プラグイン群検索部１１１によって検索可能であるものとする。
【００７８】
ここで、ＭＰＥＧ４ Ｄｅｃｏｄｅプラグインがプラグインデータベース１３１内にない場合は、再生プラグイン群検索部１１１が、ＭＰＥＧ４ Ｄｅｃｏｄｅプラグインが不足する旨を不足プラグイン情報符号化部１１４に伝えることができる。上記の再生に必要なプラグインの検索の仕組みについては、ＬｉｎｕｘのフリーソフトであるＧＳｔｒｅａｍｅｒにおいて、自動プラグイン検索、連結機能として実装され、ドキュメント、ソースとも公開されている。
【００７９】
このように本実施の形態のコンテンツ再生システム１００によれば、コンテンツ再生のために不足するプラグインを表示画面上に表示し、その中の表示させたい映像、画像から連想される、具体的には距離が近い２次元バーコードをユーザが指示することによって、必要なプラグインのみをコンテンツ表示装置１０２に転送することができる。
【００８０】
なお、本実施の形態においては、コンテンツ間の配置については不足プラグイン情報配置部１１６によって、表示するためのプラグインが不足しているコンテンツに対してのみ表示することにしているが、同じプラグインが不足している複数のコンテンツ間の関係については規定していなかった。しかし、不足プラグイン情報配置部１１６によって、同じプラグインが不足しているコンテンツに対応する２次元バーコードは同じ色で表示する、２次元バーコードの近くに四角、三角、丸などの同じ記号を表示する、同じ文字列を表示する、などの方式を用いて、ユーザが優先したいプラグインの選択を支援するなどの方式も考えられる。
【００８１】
（実施の形態２）
図６は、本発明の実施の形態２に係るコンテンツ再生システムの概略構成を示すブロック図である。図６において、コンテンツ提供装置１０１Ａ内のプラグインチェックアウト部５０１及びコンテンツ表示装置１０２Ａ内のプラグインチェックイン部５０２以外は図１と同じであるため、説明を省略する。
【００８２】
本実施の形態のコンテンツ再生システム１００Ａでは、プラグインが知的財産権保護されている場合を想定している。例えば、ＭＰ３などのデータフォーマットは私企業が知的財産権を所有し、そのフォーマットを利用するハードウェア、ソフトウェアの利用には一般的に費用が発生する。その際に、例えばメディア１０６を、ＳＤカード（登録商標）のような著作権保護機能を持つメディアとし、プラグインをメディア１０６に格納する際には、そのメディアの持つ鍵によってプラグインを暗号化し、その後コンテンツ表示装置１０２Ａに送出し、コンテンツ表示装置１０２Ａは受け取ったメディア内のプラグインを復号化し、かつ著作権保護の上、利用することによって著作権保護を可能とし、かつ新規に費用を発生させることなく、プラグインを新たな装置で利用し、そのプラグインを必要とするコンテンツを表示させることが可能となる。
【００８３】
図７に上記構成における動作シーケンスを示す。図７において、コンテンツ提供装置１０１Ａからコンテンツ表示装置１０２Ａにコンテンツ送付が行われ、コンテンツ表示装置１０２Ａでそれを再生、表示し、不足するプラグインがあれば、それを表現画面上に表示する。表現画面上に表示された不足するプラグインをコンテンツ提供装置１０１Ａで読み取り、不足するプラグインを暗号化し、チェックアウトしてコンテンツ表示装置１０２Ａに送付する。コンテンツ表示装置１０２Ａは、コンテンツ提供装置１０１Ａからプラグインが送られてくると、それを復号化し、チェックインした後、再生し、表示する。
【００８４】
なお、ＳＤカード（登録商標）の規約では、機器内に保有されている著作権保護付きのコンテンツを、暗号化し著作権ごとメディアにコピーし、機器内での利用可能台数カウントを１つ減じる操作をチェックアウトと呼び、本実施の形態でのプラグインチェックアウト部５０１はこの操作を行うための手段である。この操作においては、メディアと機器間で、相互にＳＤカード（登録商標）としての著作権保護機能を有するメディア、機器であることを確認した後、秘匿されているメディアの鍵により暗号化したプラグインをメディアに格納するため、そのメディアのみを入手しても、プラグインを取り出すことはできない。
【００８５】
また、上記の逆の操作として、コンテンツ表示装置１０２Ａ内のプラグインチェックイン部５０２が存在する。このプラグインチェックイン部５０２においても、メディアと機器は相互に著作権保護機能を持つことを確認した後にプラグインを取り出すため、プラグインを一般のＰＣ（パーソナルコンピュータ）などで取り出すことは不可能となっている。
【００８６】
また、上記では、コンテンツ提供装置１０１Ａからコンテンツ表示装置１０２Ａへプラグインを送る場合を説明しているが、例えばプラグインを１度コピーすると、もとの機器の利用権がなくなってしまう場合には、コンテンツ提供装置１０１Ａ側での再生、表示などができなくなる。そのため、コンテンツ表示装置１０２Ａからコンテンツ提供装置１０１Ａに対して、メディアを介してプラグインを返す機能を有すると、さらに有用なコンテンツ表示装置１０２Ａとなる。また、ＳＤカード（登録商標）を例に取ると、コピー回数の制限のみでなく、コンテンツの利用に関する多様な制限を設けることが可能であり、それらの機能を利用することによって、より高度な管理を行うことが可能となる。
【００８７】
また、プラグインの利用権をコンテンツ提供装置１０１Ａからコンテンツ表示装置１０２Ａへ移動させるのみでなく、コンテンツ表示装置１０２Ａに利用権のないプラグインが運ばれた時点で課金を行い、有料でプラグインを利用する方式も実施可能である。
【００８８】
図８に上記構成における課金を行う際の動作シーケンスを示す。図８において、コンテンツ提供装置１０１Ａからコンテンツ表示装置１０２Ａにコンテンツ送付が行われ、コンテンツ表示装置１０２Ａでそれを再生、表示し、不足するプラグインがあれば、それを表現画面上に表示する。表現画面上に表示された不足するプラグインをコンテンツ提供装置１０１Ａで読み取り、不足するプラグインを暗号化してコンテンツ表示装置１０２Ａに送付する。コンテンツ表示装置１０２Ａは、コンテンツ提供装置１０１からプラグインが送られてくると、課金サーバ３００に利用申請する。課金サーバ３００は、コンテンツ表示装置１０２Ａからの利用申請を受理すると、コンテンツ提供装置１０１Ａに課金し、利用を許可する。コンテンツ表示装置１０２Ａは、課金サーバ３００からの利用許可を受理すると、コンテンツ提供装置１０１Ａから送付されてきた不足プラグインを復号化し、再生し、表示する。
【００８９】
また、再生プラグイン群検索部１１１でプラグインの不足を検出した際に、そのプラグインを所定のサーバからダウンロードする、また、ダウンロードに従って課金をするなどの方式も実施可能である。
【００９０】
図９に上記構成における動作シーケンスを示す。図９において、コンテンツ提供装置１０１Ａからコンテンツ表示装置１０２Ａにコンテンツ送付が行われ、コンテンツ表示装置１０２Ａでそれを再生、表示し、不足するプラグインがあれば、それを表現画面上に表示する。表現画面上に表示された不足するプラグインをコンテンツ提供装置１０１Ａで読み取り、不足するプラグインを暗号化してコンテンツ表示装置１０２Ａに送付する。コンテンツ表示装置１０２Ａは、コンテンツ提供装置１０１からプラグインが送られてくると、課金サーバ３００に利用申請する。課金サーバ３００は、コンテンツ表示装置１０２Ａからの利用申請を受理すると、コンテンツ提供装置１０１Ａに課金し、利用を許可する。コンテンツ表示装置１０２Ａは、課金サーバ３００からの利用許可を受理すると、ダウンロードサーバ４００に対してプラグインダウンロード申請を行う。ダウンロードサーバ４００は、プラグインダウンロード申請を受理すると、コンテンツ表示装置１０２Ａに対してダウンロードを可能にし、不足プラグインのダウンロードを行う。コンテンツ表示装置１０２Ａは、ダウンロードサーバ４００からダウンロードされた不足プラグインを再生し、表示する。
【００９１】
このように本実施の形態のコンテンツ再生システム１００Ａによれば、前述した実施の形態１のコンテンツ再生システム１００に対し、著作権保護されたプラグインを暗号化してチェックアウトするプラグインチェックアウト部５０１と、暗号化されているプラグインを復号化しプラグインデータベースに格納するプラグインチェックイン部５０２を追加することにより、プラグインの著作権を保護しながら、新たなコンテンツ表示装置内で再生、表示することが可能となる。
【産業上の利用可能性】
【００９２】
本発明は、不足するプラグインに関する画面表示に対しユーザが位置指定をすることによって、必要なプラグインのみをコンテンツ表示装置に転送することが可能になるので、コンテンツの再生ソフトウェアの選択方式と転送方式等として有用である。
【図面の簡単な説明】
【００９３】
【図１】本発明の実施の形態１に係るコンテンツ再生システムの概略構成を示すブロック図
【図２】本発明の実施の形態１に係るコンテンツ再生システムの動作を示すフローチャート
【図３】本発明の実施の形態１に係るコンテンツ再生システムにおける表示画面の例を示す図
【図４】本発明の実施の形態１に係るコンテンツ再生システムの動作シーケンスを示すシーケンス図
【図５】本発明の実施の形態１に係るコンテンツ再生システムのコンテンツ表示装置における再生制御部内の再生プラグイン連結部及び再生プラグインの構成の詳細を示す構成図
【図６】本発明の実施の形態２に係るコンテンツ再生システムの概略構成を示すブロック図
【図７】本発明の実施の形態２に係るコンテンツ再生システムの動作シーケンスを示すシーケンス図
【図８】本発明の実施の形態２に係るコンテンツ再生システムにおいて、プラグイン移動時に課金を行い有料にて使用するときの動作シーケンスを示すシーケンス図
【図９】本発明の実施の形態２に係るコンテンツ再生システムにおいて、プラグイン利用時にサーバからダウンロードするときの動作シーケンスを示すシーケンス図
【符号の説明】
【００９４】
１００、１００Ａ  コンテンツ再生システム
１０１、１０１Ａ  コンテンツ提供装置
１０２、１０２Ａ  コンテンツ表示装置
１０３  メディア運搬装置
１０４  コンテンツ取得部
１０５  メディア送出部
１０６  メディア
１０７  コンテンツ
１０８  プラグイン
１０９  再生制御部
１１０  コンテンツ形式取得部
１１１  再生プラグイン群検索部
１１２  再生プラグイン連結部
１１３ａ〜１１３ｉ  再生プラグイン
１１４  不足プラグイン情報符号化部
１１５  複数コンテンツ配置部
１１６  不足プラグイン情報配置部
１１７  表示部
１１８  不足プラグイン情報表示部
１１９  表示画面
１２０ａ、１２０ｂ、１２０ｃ、１２０ｄ  コンテンツの内容の表示
１２１ａ、１２１ｂ  不足プラグイン表示
１２２  コンテンツのタイトル
１２３  カメラ
１２４  認識位置指示部
１２５  画像認識部
１２６  不足プラグイン情報検出部
１２７  プラグイン検索部
１２８  プラグインデータベース
１２９  プラグインコピー部
１３０  メディア受入れ部
１３１  プラグインデータベース
【図１】
2009296442.tif 000003
【図２】
2009296442.tif 000004
【図３】
2009296442.tif 000005
【図４】
2009296442.tif 000006
【図５】
2009296442.tif 000007
【図６】
2009296442.tif 000008
【図７】
2009296442.tif 000009
【図８】
2009296442.tif 000010
【図９】
2009296442.tif 000011